【事件の表示】
　特許第３０４５１４３号「苗植付装置」の請求項１に係る特許に対する特許異議の申立てについて、次のとおり決定する。
【結　論】
　訂正を認める。
　特許第３０４５１４３号の請求項１に係る特許を取り消す。
【理　由】
１．手続の経緯
　本件特許第３０４５１４３号についての出願は、昭和５９年１２月３日に出願された特願昭５９−２５６１７１号（以下、「親出願」という。）の一部を平成１年４月３日に新たな特許出願（特願平１−８５０８８号、以下「子出願」という。）とし、さらに、この出願の一部を平成６年１月２８日に新たな特許出願（特願平６−８５８３号）とし、さらに、この出願の一部を平成９年３月１０日に新たな特許出願（特願平９−９７８５１号）とし、さらに、この出願の一部を平成１０年４月２７日に新たな特許出願としたもので、平成１２年３月１７日にその発明について特許の設定登録がされ、その後、その特許について、特許異議申立人　三菱農機株式会社より特許異議申立てがなされ、取消理由が通知され、その指定期間内である平成１３年９月１９日に特許異議意見書及び訂正請求書が提出され、平成１４年３月２０日に審尋に対する回答書が提出されたものである。
　
２．訂正請求について
２-1．訂正の内容
　特許権者が求めている訂正の内容は、下記訂正事項（ａ）ないし（ｃ）のとおりである（下線部が訂正個所である）。
訂正事項（ａ）
　願書に添付した明細書（以下、「特許明細書」という。）の特許請求の範囲第１項に記載された（本件特許公報１頁下段左欄７〜１５行）、「苗植付具３４に、植付軸３１ａと同一軸心に配置したカム軸３２を介して回転ケース２２に対して固定され且つ苗植付具３４のケース本体３５内に配置された苗押出し作動カム３６によって苗植付時に苗を圃場に押し出すよう作動する苗押出し体３８ａを設け、植付軸３１ａの回転ケース２２から突出した部分に鍔状のフランジ部６０ｂを設けて該フランジ部６０ｂに前記苗押出し作動カム３６が内部に配置される状態で苗植付具３４のケース本体３５の一側部を固定し、」を、
「苗植付具３４に、植付軸３１ａと同一軸心に配置したカム軸３２を介して回転ケース２２に対して固定され且つ苗植付具３４のケース本体３５内に配置された苗押出し作動カム３６によって苗植付時に苗を圃場に押し出すよう作動する苗押出し体３８ａを設け、
前記カム軸３２を植付軸３１ａ内に挿通させて設け、
訂正事項（ｂ）
　特許明細書の段落【０００３】に記載された（同公報２頁３欄４〜１２行）、「苗植付具３４に、植付軸３１ａと同一軸心に配置したカム軸３２を介して回転ケース２２に対して固定され且つ苗植付具３４のケース本体３５内に配置された苗押出し作動カム３６によって苗植付時に苗を圃場に押し出すよう作動する苗押出し体３８ａを設け、植付軸３１ａの回転ケース２２から突出した部分に鍔状のフランジ部６０ｂを設けて該フランジ部６０ｂに前記苗押出し作動カム３６が内部に配置される状態で苗植付具３４のケース本体３５の一側部を固定し、」を、
「苗植付具３４に、植付軸３１ａと同一軸心に配置したカム軸３２を介して回転ケース２２に対して固定され且つ苗植付具３４のケース本体３５内に配置された苗押出し作動カム３６によって苗植付時に苗を圃場に押し出すよう作動する苗押出し体３８ａを設け、
前記カム軸３２を植付軸３１ａ内に挿通させて設け、
訂正事項（ｃ）
　特許明細書の段落【０００５】に記載された（同公報２頁３欄４０〜４５行）、「苗植付具３４が植付軸３１ａに対しフランジ部６０ｂを介して容易且つ強固に取り付けられて、苗植付具３４が適確に作動するものとなり、且つ、該フランジ部６０ｂの回転ケース２２側とは反対側に苗植付具３４のケース本体３５を固定したものとしたから、」を、
「苗植付具３４が植付軸３１ａに対しフランジ部６０ｂを介して容易且つ強固に取り付けられて、苗植付具３４が適確に作動するものとなり、且つ、
前記カム軸３２を植付軸３１ａ内に挿通させて設け、
２-2．訂正の適否
　訂正事項（ａ）は、植付軸３１ａとカム軸３２の関係を限定するものであり、特許請求の範囲の減縮を目的とするものである。
　そして、本件訂正事項（ａ）に関し、特許明細書の段落【００１２】ないし【００１３】には、「そして、この遊星ギヤー３１には、これと一体の筒状の植付軸３１ａが設けられ、その一端側は回転ケースの外方に突出していて、この植付軸３１ａ内に軸が挿通できるよう構成されている。３２はカム軸で、前記植付軸３１ａ内に挿通されて回転ケース２２内を横切り、その一端が回動ケース２２の植付伝動ケース側の外壁面部に固着される回止め板３３に固着され、他端は前記植付軸３１ａよりも外方へ突出している。」と記載され、また願書に添付した図面の【図５】には、カム軸３２を植付軸３１ａ内に挿通させて設けた点が記載されている。
　してみると、本件訂正事項は、願書に添付した明細書又は図面に記載した事項の範囲内のものであって、新規事項の追加に該当せず、また実質上特許請求の範囲を拡張し又は変更するものではない。
　訂正事項（ｂ）及び（ｃ）は、特許請求の範囲を訂正することに伴う訂正であって、明りょうでない記載の釈明を目的とするもので、新規事項の追加に該当せず、また実質上特許請求の範囲を拡張し又は変更するものではない。
２-3．むすび
　以上のとおりであるから、上記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書、第２項及び第３項の規定に適合するので、当該訂正を認める。
　
３．特許異議申立てについて
３-1．本件特許発明
　上記２．で示したように上記訂正が認められるから、本件の請求項１に係る発明の要旨（以下、「本件発明」という。）は、訂正後の特許明細書の特許請求の範囲の第１項に記載されたとおりの、
　「駆動回転される回転ケース２２の一側方に突出し回転ケース２２の回転にともなって回転する複数の植付軸３１ａのそれぞれに苗植付具３４を取付けて該苗植付具３４が回転ケース２２の回転により圃場に苗を植付けるよう作動する構成とした苗植付装置において、苗植付具３４に、植付軸３１ａと同一軸心に配置したカム軸３２を介して回転ケース２２に対して固定され且つ苗植付具３４のケース本体３５内に配置された苗押出し作動カム３６によって苗植付時に苗を圃場に押し出すよう作動する苗押出し体３８ａを設け、前記カム軸３２を植付軸３１ａ内に挿通させて設け、植付軸３１ａの回転ケース２２から突出した部分に鍔状のフランジ部６０ｂを設けて該フランジ部６０ｂに前記苗押出し作動カム３６が内部に配置される状態で苗植付具３４のケース本体３５の一側部を固定し、且つ、該フランジ部６０ｂの回転ケース２２側とは反対側に苗植付具３４のケース本体３５を固定したことを特徴とする苗植付装置。」
にあるものと認める。
３-2．引用特許発明
　平成１３年７月６日付け取消理由に引用した、本件出願と同日に出願したものとみなされる特許第２９８８４６７号の発明の要旨（以下、「引用発明」という。）は、特許明細書及び図面の記載からみて、その特許請求の範囲に記載されたとおりの、
　「駆動回転される回転ケース２２の一側方に突出し回転ケース２２の回転にともなって回転する複数の植付軸３１ａのそれぞれに苗植付具３４を取付けて該苗植付具３４が回転ケース２２の回転により圃場に苗を植付けるよう作動する構成とした苗植付装置において、
苗植付具３４に、植付軸３１ａと同一軸心に配置したカム軸３２を介して回転ケース２２に対して固定され且つ苗植付具３４のケース本体３５内に配置された苗押出し作動カム３６によって苗植付時に苗を圃場に押し出すよう作動する苗押出し体３８ａを設け、
植付軸３１ａの回転ケース２２から突出した部分に鍔状のフランジ部６０ｂを設けて該フランジ部６０ｂに前記苗押出し作動カム３６が内部に配置される状態で苗植付具３４のケース本体３５の一側部を固定したことを特徴とする苗植付装置。」にあるものと認める。　
３-3．対比・判断
　本件発明と引用発明とを対比すると、両者は、
　駆動回転される回転ケース２２の一側方に突出し回転ケース２２の回転にともなって回転する複数の植付軸３１ａのそれぞれに苗植付具３４を取付けて該苗植付具３４が回転ケース２２の回転により圃場に苗を植付けるよう作動する構成とした苗植付装置において、苗植付具３４に、植付軸３１ａと同一軸心に配置したカム軸３２を介して回転ケース２２に対して固定され且つ苗植付具３４のケース本体３５内に配置された苗押出し作動カム３６によって苗植付時に苗を圃場に押し出すよう作動する苗押出し体３８ａを設け、植付軸３１ａの回転ケース２２から突出した部分に鍔状のフランジ部６０ｂを設けて該フランジ部６０ｂに前記苗押出し作動カム３６が内部に配置される状態で苗植付具３４のケース本体３５の一側部を固定したことを特徴とする苗植付装置で一致し、
（Ａ）本件発明では、「カム軸３２を植付軸３１ａ内に挿通させて設け」たのに対し、引用発明では、その構成を特定していない点、
（Ｂ）本件発明では、「フランジ部６０ｂの回転ケース２２側とは反対側に苗植付具３４のケース本体３５を固定した」のに対し、引用発明では、フランジ部６０ｂに対しケース本体３５の固定する位置が特定されていない点、
で構成が一応相違している。
　しかしながら、上記相違点（Ａ）についてみると、両者は「植付軸３１ａと同一軸心に配置したカム軸３２を……」と記載されているように植付軸３１ａとカム軸３２は同一軸心に配置されるものであり、しかも引用発明においても、植付軸３１ａの回転ケース２２から突出した部分に鍔状のフランジ部６０ｂを設けて該フランジ部６０ｂに苗押出し作動カム３６が内部に配置される状態で苗植付具３４のケース本体３５の一側部を固定した構成を採用するものであって、このような構成においては、カム軸を植付軸内に挿通させて設けるのが普通であって、それ以外の構成は通常の態様では採用できないものである。そして、引用発明の明細書には、カム軸を植付軸内に挿通させて設ける構成が記載されているのみであり、それ以外の構成は示唆されてもいない。
　してみると、引用発明においても、その発明を実施すれば、当然にカム軸を植付軸内に挿通させて設ける構成となるものであるから、相違点（Ａ）は実質的な差異とは認められない。
　次いで、上記相違点（Ｂ）についてみると、回転ケース２２から突出する植付軸３１ａに鍔状のフランジ部６０ｂを設けた場合、ケース本体３５を、植付軸３１ａの突出端の外方からフランジ部６０ｂに固定するようにすることは、設計者なら当然に採用する構成であるから、フランジ部６０ｂの回転ケース２２側とは反対側に苗植付具３４のケース本体３５を固定することは、当業者なら適宜行う設計上の微差にすぎない。
　そうすると、上記相違点（Ａ）及び（Ｂ）は実質的な構成の差異とはいえないから、本件発明と引用発明とは同一の発明と認められる。
３-4．むすび
　以上のとおりであるから、本件発明は、特許法第３９条第２項の規定により特許を受けることができない。
　したがって、本件発明についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年５月３０日（２００２．５．３０）
【訂正の要旨】
訂正事項（ａ）
　願書に添付した明細書（以下、「特許明細書」という。）の特許請求の範囲第１項に記載された（本件特許公報１頁下段左欄７〜１５行）、「苗植付具３４に、植付軸３１ａと同一軸心に配置したカム軸３２を介して回転ケース２２に対して固定され且つ苗植付具３４のケース本体３５内に配置された苗押出し作動カム３６によって苗植付時に苗を圃場に押し出すよう作動する苗押出し体３８ａを設け、植付軸３１ａの回転ケース２２から突出した部分に鍔状のフランジ部６０ｂを設けて該フランジ部６０ｂに前記苗押出し作動カム３６が内部に配置される状態で苗植付具３４のケース本体３５の一側部を固定し」を、
「苗植付具３４に、植付軸３１ａと同一軸心に配置したカム軸３２を介して回転ケース２２に対して固定され且つ苗植付具３４のケース本体３５内に配置された苗押出し作動カム３６によって苗植付時に苗を圃場に押し出すよう作動する苗押出し体３８ａを設け、
前記カム軸３２を植付軸３１ａ内に挿通させて設け、
訂正事項（ｂ）
　特許明細書の段落【０００３】に記載された（同公報２頁３欄４〜１２行）、「苗植付具３４に、植付軸３１ａと同一軸心に配置したカム軸３２を介して回転ケース２２に対して固定され且つ苗植付具３４のケース本体３５内に配置された苗押出し作動カム３６によって苗植付時に苗を圃場に押し出すよう作動する苗押出し体３８ａを設け、植付軸３１ａの回転ケース２２から突出した部分に鍔状のフランジ部６０ｂを設けて該フランジ部６０ｂに前記苗押出し作動カム３６が内部に配置される状態で苗植付具３４のケース本体３５の一側部を固定し、」を、
「苗植付具３４に、植付軸３１ａと同一軸心に配置したカム軸３２を介して回転ケース２２に対して固定され且つ苗植付具３４のケース本体３５内に配置された苗押出し作動カム３６によって苗植付時に苗を圃場に押し出すよう作動する苗押出し体３８ａを設け、
前記カム軸３２を植付軸３１ａ内に挿通させて設け、
訂正事項（ｃ）
　特許明細書の段落【０００５】に記載された（同公報２頁３欄４０〜４５行）、「苗植付具３４が植付軸３１ａに対しフランジ部６０ｂを介して容易且つ強固に取り付けられて、苗植付具３４が適確に作動するものとなり、且つ、該フランジ部６０ｂの回転ケース２２側とは反対側に苗植付具３４のケース本体３５を固定したものとしたから、」を、
「苗植付具３４が植付軸３１ａに対しフランジ部６０ｂを介して容易且つ強固に取り付けられて、苗植付具３４が適確に作動するものとなり、且つ、
前記カム軸３２を植付軸３１ａ内に挿通させて設け、
（５４）【発明の名称】
苗植付装置
（５７）【特許請求の範囲】
１．駆動回転される回転ケース２２の一側方に突出し回転ケース２２の回転にともなって回転する複数の植付軸３１ａのそれぞれに苗植付具３４を取付けて該苗植付具３４が回転ケース２２の回転により圃場に苗を植付けるよう作動する構成とした苗植付装置において、苗植付具３４に、植付軸３１ａと同一軸心に配置したカム軸３２を介して回転ケース２２に対して固定され且つ苗植付具３４のケース本体３５内に配置された苗押出し作動カム３６によって苗植付時に苗を圃場に押し出すよう作動する苗押出し体３８ａを設け、
前記カム軸３２を植付軸３１ａ内に挿通させて設け、
【発明の詳細な説明】
　【０００１】
　【発明の属する技術分野】
　この発明は、回転ケースに複数の苗植付具を設けた苗植付装置に関するものである。
　【０００２】
　【従来の技術とその課題】
　従来、回転ケースに複数の苗植付具を設けた苗植付装置が提案されてはいるが、苗植付具を容易且つ強固に組付けることまで考慮されてなかった。
　【０００３】
　【課題を解決するための手段】
　この発明は、上記課題を解決するために、駆動回転される回転ケース２２の一側方に突出し回転ケース２２の回転にともなって回転する複数の植付軸３１ａのそれぞれに苗植付具３４を取付けて該苗植付具３４が回転ケース２２の回転により圃場に苗を植付けるよう作動する構成とした苗植付装置において、苗植付具３４に、植付軸３１ａと同一軸心に配置したカム軸３２を介して回転ケース２２に対して固定され且つ苗植付具３４のケース本体３５内に配置された苗押出し作動カム３６によって苗植付時に苗を圃場に押し出すよう作動する苗押出し体３８ａを設け、
前記カム軸３２を植付軸３１ａ内に挿通させて設け、
　【０００４】
　【発明の作用及び効果】
　この発明の苗植付装置は、駆動回転される回転ケース２２の一側方に突出し回転ケース２２の回転にともなって回転する複数の植付軸３１ａのそれぞれに苗植付具３４を取付けて該苗植付具３４が回転ケース２２の回転により圃場に苗を植付けるよう作動する構成とした苗植付装置において、苗植付具３４に、植付軸３１ａと同一軸心に配置したカム軸３２を介して回転ケース２２に対して固定され且つ苗植付具３４のケース本体３５内に配置された苗押出し作動カム３６によって苗植付時に苗を圃場に押し出すよう作動する苗押出し体３８ａを設けたものであるから、高速に且つ確実に苗を植え付けられる。
　【０００５】
　しかも、この発明の苗植付装置は、上記のように、苗押出し作動カム３６が、苗植付具３４のケース本体３５内に配置され、しかも、植付軸３１ａと同一軸心に配置したカム軸３２を介して回転ケース２２に対して固定されるため、苗押出し作動カム３６が内部に配置される状態で取り付けられる苗植付具３４のケース本体３５は、そのケース本体３５の一側部において植付軸３１ａに固定されるものとなるが、植付軸３１ａの回転ケース２２から突出した部分に鍔状のフランジ部６０ｂを設けて該フランジ部６０ｂに前記苗押出し作動カム３６が内部に配置される状態で苗植付具３４のケース本体３５の一側部を固定したものとしたから、苗植付具３４が植付軸３１ａに対しフランジ部６０ｂを介して容易且つ強固に取り付けられて、苗植付具３４が適確に作動するものとなり、且つ、
前記カム軸３２を植付軸３１ａ内に挿通させて設け、
　【０００６】
　【発明の実施の形態】
　この発明の実施例を図１〜図５に基づいて説明する。１は乗用牽引車であって、２は左右一対の前輪、３は左右一対の後輪、４はエンジン、５は操縦座席、６は操縦ハンドルである。７は操縦操作用枠、８は主ミッションケースで、エンジン４から内部のミッションへ伝動されてこれから前輪２及び後輪３が駆動軸９・１０を介して動力伝達され、ＰＴＯ軸１１及び伝動軸１２を介して後述の田植機１３部分へ動力が伝達されるよう設けている。
　【０００７】
　１４は植付クラッチレバーで、これによって後述する主苗植付クラッチが「入」、「切」操作される。１５は昇降リンク機構で、油圧シリンダー装置１６で上下回動されヒッチ１７を昇降動するものである。１８は植付伝動ケースで、前記ヒッチ１７に装着されている。
　【０００８】
　１９は苗載置台で、前記植付伝動ケース１８の上側に前側が上方になるよう傾斜させて支架させ、植付伝動ケース１８内の往復横移動装置によって左右動するよう設けられている。そして、この苗載置台１９は、左右横方向に仕切体２０…によって所定の幅に区切られていて、複数苗載置台１９ａ・１９ｂ・１９ｃ・１９ｄ・１９ｅに構成されている。
　【０００９】
　２１は苗受止板で、側面視が略々Ｌ字状に設けられ、前記苗載置台１９の下端側に沿わせて横方向へ長く延ばされ、これには、各苗載置台１９ａ〜１９ｅの苗が分割できる苗分割口２１ａ・２１ｂ・２１ｃ・２１ｄ・２１ｅが設けられている。２２（２２ａ・２２ｂ・２２ｃ・２２ｄ・２２ｅ）は回転ケースで、前記植付伝動ケース１８から左右方向に所定の間隔を配して後方へ突出分岐する縦伝動ケース１８ａ・１８ｂ・１８ｃの後端側にその前後中間の中心部が植付駆動軸２３にキー２３ａで一体回転されるように取付けられている。
　【００１０】
　２４は前記植付駆動軸２３に楔着されたギヤー、２５・２６はカウンターギヤー、２７は入力スプロケットを示す。２８は固定部材で、縦伝動ケース１８ａ・１８ｂ・１８ｃの外側部に止着されていて前記植付駆動軸２３をベアリングを介して軸受し、この軸２３が挿通される固定部材２８の先端部２８ａを軸２３の軸心に対して偏心ならしめている。
　【００１１】
　２９は太陽ギヤーで、前記固定部材２８の先端部２８ａに挿入係合されて回り止めが掛られた係合部２９ａと一体的に設けられ、この太陽ギヤー２９は前記植付駆動軸２３の軸心に対してピッチサークルが真円にならないギヤーになっている。そして、前記固定部材２８を回転ケース側へ挿入する嵌合孔２８ｂを太陽ギヤー２９の外径よりも大きくして該太陽ギヤー２９の挿脱を可能にしている。
　【００１２】
　３０・３０はカウンター遊星ギヤーで、前記回転ケース２２内に回転自在に軸受されていて、前記太陽ギヤー２９に常時咬合している。３１は遊星ギヤーで、前記回転ケース２２内の先端側にあって、前記カウンター遊星ギヤー３０・３０に咬合っている。そして、この遊星ギヤー３１には、これと一体の筒状の植付軸３１ａが設けられ、その一端側は回転ケースの外方に突出していて、この植付軸３１ａ内に軸が挿通できるよう構成されている。
　【００１３】
　３２はカム軸で、前記植付軸３１ａ内に挿通されて回転ケース２２内を横切り、その一端が回動ケース２２の植付伝動ケース側の外壁面部に固着される回止め板３３に固着され、他端は前記植付軸３１ａよりも外方へ突出している。３４は苗植付具で、植付ケース本体３５、苗押出し作動カム３６、連動杆３７、押出軸３８及び苗分離爪３９等からできている。そして、この植付ケース本体３５は、前記遊星ギヤー３１と一体状の植付軸３１ａの外周部に嵌合されてコッターピン４０でボスの軸心方向へ多少動かせて固定できるように設けたメタル６０にボルトでもって固着され、この植付軸３１ａと一体で回転されるよう設けられている。
　【００１４】
　そして、このメタル６０は、植付ケース本体３５内に突込まれる嵌合部６０ａと植付ケース本体３５を一体的に固着する鍔状のフランジ部６０ｂをもち、このフランジ部６０ｂと前記植付ケース本体３５とをボルト６１で固着している。苗押出し作動カム３６は前記カム軸３２の先端部を角軸に形成してこれに嵌合させ、該カム軸３２と一体で回転するよう設けている。
　【００１５】
　連動杆３７は前後中間部がピン４１で植付ケース３５に回動自由に受けられ、基部側を前記カム３６の外周に接当するよう設け、先端側をフォーク状に形成している。尚、前記ピン４１は、前記メタル６０のフランジ部６０ｂ内面で、抜止めされる形態になっている。３８は押出軸で、植付ケース３５の先端側に上下方向に摺動可能に軸受けされていて、その下端はケース外へ突出しており、この下端を苗押出し体としての苗押出片３８ａに形成し、上端部側を一部小判状に外周を切削して、ここに前記連動杆３７の先端フォーク部を係合している。４２はばねである。
　【００１６】
　苗分離爪３９は、植付ケース３５の先端部に着脱自在に取付けられている。上記の通り苗植付具３４は各回転ケース２２…のいずれにも２個取付けられて回転されながら側面視が上下方向に長い植付軌跡（イ）を描いて作動されるように構成されている。そして、単一の回転ケースに設けられた２個の苗植付具３４を１つのグループとし、図例ではＡ・Ｂ・Ｃ・Ｄ・Ｅの苗植付具グループからできている。
　【００１７】
　４３は駆動軸で、前記植付伝動ケース１８内に伝動回転されるよう横方向に延ばして架設され、前記縦伝動ケース１８ａ・１８ｂ・１８ｃの付根部分には駆動スプロケット４４・４４・４４が止着され、チェンを介して前記入力スプロケット２７…を回転して植付駆動軸２３側を伝動するように設けている。４５は主苗植付クラッチで、原動機側から伝動回転されるクラッチ爪付き駆動クラッチギヤー４６を駆動軸４３に回転自由に遊着し、この駆動クラッチギヤー４６にクラッチ爪と定位置停止カム４７ａ付きの従動クラッチ体４７を駆動軸４３に楔着状態で移動可能に設けてばね４８で駆動クラッチギヤー４６側へ弾発咬合あらしめ、植付伝動ケース１８に摺動自在に設けたクラッチピン４９を定位置停止カム４７ａに係脱可能に設けた構成となし、ピン４９をカム面（ロ）に接当させると、回転力を受けてばね４８に抗して該従動クラッチ体４７が逃げクラッチ爪が外れて駆動軸４３の回転が停止するよう構成されている。そして、前記定位置停止カム４７ａの数は、図例の場合回転外周面に２等分されて回転ケース２２…の一つに取付けられる苗植付具３４の数である２個構成されている。
　【００１８】
　尚、苗植付具３４が回転ケース２２に３個設けられていれば定位置停止カム４７ａの数は３個になることは言うまでもない。５０はクラッチワイヤーで、前記植付クラッチレバー１４と前記クラッチピン４９とを連接するものである。尚、図例では、主植付クラッチ４５を植付伝動ケース１８内に設けたが、これを主ミッションケース８内に設けて田植機１３側へ動力を伝達するＰＴＯ軸１１の回転を定位置に停止させる構成にしてもよいことは勿論である。
　【００１９】
　図中、５１は中央部の整地フロート、５２は左右両側の整地フロートである。上例の作用を説明すると、各苗載置台１９ａ〜１９ｅに苗を載せてエンジン４で各部を回転すると、乗用牽引車１が前輪２と後輪３の回転により推進されて、田植機１３部が整地フロート５１・５２で一部その荷重が受けられて牽引され、ＰＴＯ軸１１から伝動軸１２を介して動力が主ミッションケース８側から植付伝動ケース１８内の入力軸へ伝動される。そして、主植付クラッチ４５を介して駆動軸４３が伝動回転され、この駆動軸４３から、スプロケット、チェン等を介して植付駆動軸２３…が回転される。すると、各回転ケース２２…が回転し、この回転に伴い太陽ギヤー２９のまわりにカウンター遊星ギヤー３０・３０が遊星回転され、これに咬合う遊星ギヤー３１・３１が回転されることになる。したがって、遊星ギヤー３１・３１と一体的な植付軸３１ａにコッターピン４０で止着されたメタル６０を介して止着の植付ケース本体３５が回転ケース２２に対して回転され、該回転ケース２２と一体のカム軸３２・３２は当然ながらギヤー３１によって回転を受けないから、このカム軸３２に止着の押出し作動カム３６に対して植付ケース本体３５が太陽ギヤー２９の偏心ピッチサークルのために周速が変動しながら回転されることになる。したがって、連動杆３７がカム３６により揺動し、押出軸３８が上下動することになる。
　【００２０】
　そして、植付ケース本体３５に取付けられた苗分離爪３９の先端側が植付軌跡（イ）を描いて作動し、苗受止板２１の苗分割口２１ａ〜２１ｅへ上方から次々と介入し、左右に往復動する苗載置台１９ａ〜１９ｅ中の苗を一株分づつ分割して整地フロート５１・５２で整地された圃場面へ植付けて行く。即ち、苗押出軸３８が植付ケース３５に対して上方に位置しているときに苗載置台から苗を分割し、圃場面へ突込んだときにカム３６と連動杆３７のカムフロアー部とが外れてばね４２で急速に苗を土壌中へ押込むようになっている。
　【００２１】
　また、この苗植付装置は、駆動回転される回転ケ−ス２２の一側方に突出し回転ケ−ス２２の回転にともなって回転する複数の植付軸３１ａのそれぞれに苗植付具３４を取付けて該苗植付具３４が回転ケ−ス２２の回転により圃場に苗を植付けるよう作動する構成とした苗植付装置において、苗植付具３４に、植付軸３１ａと同一軸心に配置したカム軸３２を介して回転ケ−ス２２に対して固定され且つ苗植付具３４のケ−ス本体３５内に配置された苗押出し作動カム３６によって苗植付時に苗を圃場に押し出すよう作動する苗押出し体３８ａを設けたものであるから、高速に且つ確実に苗を植え付けられる。
　【００２２】
　しかも、この苗植付装置は、上記のように、苗押出し作動カム３６が、苗植付具３４のケース本体３５内に配置され、しかも、植付軸３１ａと同一軸心に配置したカム軸３２を介して回転ケース２２に対して固定されるため、苗押出し作動カム３６が内部に配置される状態で取り付けられる苗植付具３４のケース本体３５は、そのケース本体３５の一側部において植付軸３１ａに固定されるものとなるが、植付軸３１ａの回転ケース２２から突出した部分に鍔状のフランジ部６０ｂを設けて該フランジ部６０ｂに前記苗押出し作動カム３６が内部に配置される状態で苗植付具３４のケース本体３５の一側部を固定したものとしたから、苗植付具３４が植付軸３１ａに対しフランジ部６０ｂを介して容易且つ強固に取り付けられて、苗植付具３４が適確に作動するものとなり、且つ、該フランジ部６０ｂの回転ケース２２側とは反対側に苗植付具３４のケース本体３５を固定したものとしたから、苗植付具３４を容易に組付け取外しできて苗植付装置の組立て分解が容易なものとなる。
【図面の簡単な説明】
　【図１】　乗用型田植機の全体側面図
　【図２】　乗用型田植機の要部平面図
　【図３】　伝動機構の簡略斜視図
　【図４】　要部の側断面図
　【図５】　要部の平断面図
　【符号の説明】
２２　：回転ケース
３１ａ：植付軸
３２　：カム軸
３４　：苗植付具
３５　：植付ケース本体
３６　：苗押出し作動カム
３８ａ：苗押出し体
６０ｂ：フランジ部